(57)【要約】【課題】  シール材を枠材に取り付ける作業を容易にすることができる扉の枠構造を提供する。【解決手段】  シール材２３は、枠材２２に設けられる凸状の被挾持部２２１を挾持する一対の挾持部２３１，２３１’と、一対の挾持部２３１，２３１’を連結する連結部２３２とを備え、一方の挾持部２３１が枠材２２の被挾持部２２１と係合する状態にて、一方の挾持部２３１を中心に回動されることにより枠材２２に取り付けられるべく、一方の挾持部２３１は、連結部２３２からの突出量が他方の挾持部２３１’よりも小さく形成されることを特徴とする。【選択図】  図５
2009270320.tif 000002
【特許請求の範囲】
【請求項１】
扉の枠部に取り付けられる長尺なシール材において、
扉の枠部を挾持する一対の挾持部と、一対の挾持部を連結する連結部とを備え、一方の挾持部が枠部と係合する状態にて、一方の挾持部を中心に回動されることにより枠部に取り付けられるべく、一方の挾持部が連結部からの突出量を他方の挾持部よりも小さく形成されることを特徴とするシール材。
【請求項２】
板状の扉本体の枠に取り付けられる長尺な枠材と、枠材に取り付けられる長尺なシール材とを備える扉の枠構造において、
シール材は、枠材に設けられる凸状の被挾持部を挾持する一対の挾持部と、一対の挾持部を連結する連結部とを備え、一方の挾持部が枠材の被挾持部と係合する状態にて、一方の挾持部を中心に回動されることにより枠材に取り付けられるべく、一方の挾持部が連結部からの突出量を他方の挾持部よりも小さく形成されることを特徴とする扉の枠構造。
【請求項３】
一方の挾持部は、内方に突出する凸状部を備え、被挾持部は、シール材が枠材に取り付けられる状態にて、一方の挾持部の凸状部を係止する凹状の係止部を備える請求項２に記載の扉の枠構造。
【請求項４】
一方の挾持部の凸状部は、弾性を有し、シール材が枠材に取り付けられる状態にて、枠材との間を封止するように構成される請求項３に記載の扉の枠構造。
【請求項５】
開口部を有する荷箱本体と、荷箱本体の開口部に開閉可能に取り付けられる扉とを備え、扉は、開口部を覆う板状の扉本体と、扉本体の枠に取り付けられる長尺な枠材と、枠材に取り付けられる長尺なシール材とを備える荷箱において、
シール材は、枠材に設けられる凸状の被挾持部を挾持する一対の挾持部と、一対の挾持部を連結する連結部とを備え、一方の挾持部が枠材の被挾持部と係合する状態にて、一方の挾持部を中心に回動されることにより枠材に取り付けられるべく、一方の挾持部が連結部からの突出量を他方の挾持部よりも小さく形成されることを特徴とする荷箱。
【発明の詳細な説明】
【技術分野】
【０００１】
本発明は、扉の枠部に取り付けられるシール材に関し、また、扉本体の枠に取り付けられる枠材と、枠材に取り付けられるシール材とを備える扉の枠構造に関し、さらに、荷箱本体の開口部に開閉可能に取り付けられる扉を備える荷箱に関する。
【背景技術】
【０００２】
従来、荷箱として、図７に示すように、荷箱本体５００の開口部に扉５０１を備え、扉５０１は、開口部を覆う板状の扉本体５０２と、扉本体５０２の枠に取り付けられる長尺な枠材５０３と、枠材５０３に取り付けられる長尺なシール材５０４とを備える荷箱が知られている（例えば、特許文献１）。そして、荷箱は、図７（ａ）に示すように、シール材５０４にて荷箱本体５００と扉５０１との間を封止している。
【０００３】
枠材５０３は、凹状の外嵌部５０３ａが扉本体５０２の枠を外嵌し、固定部材（例えば「ボルト及びナット」又は「リベット」であって、図示していない）を介して扉本体５０２に固定され、シール材５０４は、凸状の被係止部５０４ａが枠材５０３の凹状の係止部５０３ｂに係止されて枠材５０３に固定される。このとき、シール材５０４は、長手方向（図７（ｂ）におけるＥ矢印方向）にスライドされることにより、被係止部５０４ａが枠材５０３の係止部５０３ｂに内挿される。
【特許文献１】特開２００１−８０３５９号公報
【発明の開示】
【発明が解決しようとする課題】
【０００４】
しかしながら、シール材５０４の被係止部５０４ａと枠材５０３の係止部５０３ｂとが摺接することにより、各部位５０３ｂ，５０４ａ間に摩擦力が発生するため、かかる作業が非常に困難な作業となる。しかも、例えば、枠材５０３の係止部５０３ｂの内面に接着剤を塗布した場合には、シール材５０４の被係止部５０４ａが枠材５０３の係止部５０３ｂに内挿されるのに伴い、接着剤が押し出され、接着剤が長手方向に均等に塗布されていない状態ともなる。
【０００５】
よって、本発明は、かかる事情に鑑み、扉の枠部に容易に取り付けることができるシール材を提供することを課題とし、また、シール材を枠材に取り付ける作業を容易にすることができる扉の枠構造及び荷箱を提供することを課題とする。
【課題を解決するための手段】
【０００６】
本発明に係るシール材は、扉の枠部に取り付けられる長尺なシール材において、扉の枠部を挾持する一対の挾持部と、一対の挾持部を連結する連結部とを備え、一方の挾持部が枠部と係合する状態にて、一方の挾持部を中心に回動されることにより枠部に取り付けられるべく、一方の挾持部が連結部からの突出量を他方の挾持部よりも小さく形成されることを特徴とする。
【０００７】
本発明によれば、一方の挾持部が一対の挾持部を連結する連結部からの突出量を他方の挾持部よりも小さく形成されている。したがって、一方の挾持部が枠部と係合する状態にて、一方の挾持部を中心に回動されることにより、一対の挾持部が扉の枠部を挾持することができ、その結果、扉の枠部に取り付けられる。なお、「係合」とは、一方の挾持部が扉の枠部を係止して又は扉の枠部に係止されて係り合う場合だけでなく、単に、扉の枠部と当接して係り合う場合をも含む。
【０００８】
また、本発明に係る扉の枠構造は、板状の扉本体の枠に取り付けられる長尺な枠材と、枠材に取り付けられる長尺なシール材とを備える扉の枠構造において、シール材は、枠材に設けられる凸状の被挾持部を挾持する一対の挾持部と、一対の挾持部を連結する連結部とを備え、一方の挾持部が枠材の被挾持部と係合する状態にて、一方の挾持部を中心に回動されることにより枠材に取り付けられるべく、一方の挾持部が連結部からの突出量を他方の挾持部よりも小さく形成されることを特徴とする。
【０００９】
かかる構成によれば、一方の挾持部が一対の挾持部を連結する連結部からの突出量を他方の挾持部よりも小さく形成されるため、一方の挾持部が枠材に設けられる凸状の被挾持部と係合する状態にて、シール材が一方の挾持部を中心に回動されることにより、シール材が一対の挾持部にて枠材の被挾持部を挾持することができる。したがって、板状の扉本体の枠に取り付けられる長尺な枠材にシール材が取り付けられる。
【００１０】
また、本発明に係る扉の枠構造においては、一方の挾持部は、内方に突出する凸状部を備え、被挾持部は、シール材が枠材に取り付けられる状態にて、一方の挾持部の凸状部を係止する凹状の係止部を備えてもよい。
【００１１】
かかる構成によれば、シール材が枠材に取り付けられる状態にて、枠材の被挾持部に設けられる凹状の係止部が、シール材の一方の挾持部に内方に突出して設けられる凸状部を係止する。したがって、シール材が一方の挾持部を中心に回動される際や、シール材が枠材に取り付けられた際に、シール材が枠材から外れることもなく、また、シール材が枠材に対して適切に位置決めされる。
【００１２】
また、本発明に係る扉の枠構造においては、一方の挾持部の凸状部は、弾性を有し、シール材が枠材に取り付けられる状態にて、枠材との間を封止するような構成を採用してもよい。
【００１３】
かかる構成によれば、弾性を有する一方の挾持部の凸状部が枠材との間を封止するようにして、シール材が枠材に取り付けられる。したがって、シール材と枠材との間から水等が浸入するのを防止することができる。
【００１４】
また、本発明に係る荷箱は、開口部を有する荷箱本体と、荷箱本体の開口部に開閉可能に取り付けられる扉とを備え、扉は、開口部を覆う板状の扉本体と、扉本体の枠に取り付けられる長尺な枠材と、枠材に取り付けられる長尺なシール材とを備える荷箱において、シール材は、枠材に設けられる凸状の被挾持部を挾持する一対の挾持部と、一対の挾持部を連結する連結部とを備え、一方の挾持部が枠材の被挾持部と係合する状態にて、一方の挾持部を中心に回動されることにより枠材に取り付けられるべく、一方の挾持部が連結部からの突出量を他方の挾持部よりも小さく形成されることを特徴とする。
【００１５】
かかる構成によれば、一方の挾持部が一対の挾持部を連結する連結部からの突出量を他方の挾持部よりも小さく形成されるため、一方の挾持部が枠材に設けられる凸状の被挾持部と係合する状態にて、シール材が一方の挾持部を中心に回動されることにより、シール材が一対の挾持部にて枠材の被挾持部を挾持することができる。したがって、荷箱本体の開口部を覆う板状の扉本体の枠に取り付けられる長尺な枠材に、シール材が取り付けられる。
【発明の効果】
【００１６】
以上の如く、本発明に係るシール材によれば、一方の挾持部が枠部と係合する状態にて、一方の挾持部を中心に回動されることにより、一対の挾持部が扉の枠部を挾持して扉の枠部に取り付けられるため、扉の枠部に容易に取り付けることができるという優れた効果を奏する。
【００１７】
また、本発明に係る扉の枠構造及び荷箱によれば、一方の挾持部が枠材に設けられる凸状の被挾持部と係合する状態にて、シール材が一方の挾持部を中心に回動されることにより、シール材が一対の挾持部にて枠材の被挾持部を挾持して枠材に取り付けられるため、シール材を枠材に取り付ける作業を容易にすることができるという優れた効果を奏する。
【発明を実施するための最良の形態】
【００１８】
以下、本発明に係るシール材及び荷箱（扉の枠構造）における一実施形態について、図１〜図５を参酌して説明する。
【００１９】
本実施形態に係る荷箱は、図１に示すように、車両Ｘの荷台に装備され、開口部１１を有する荷箱本体１と、荷箱本体１の開口部１１に開閉可能に取り付けられる扉２，２とを備える。
【００２０】
荷箱本体１は、直方体状に形成される直方フレーム１２と、直方フレーム１２の両側部に設けられる幅方向一対の側板１３，１３と、直方フレーム１２の前面部に設けられる前方板１４と、直方フレーム１２の底面部に設けられる底板１５と、直方フレーム１２の天井部に設けられる天板１６とを備え、直方フレーム１２の後面部の開口部１１に、幅方向一対の扉２，２が開閉自在に設けられている。
【００２１】
直方フレーム１２は、下部で前後方向に延びる幅方向一対の下部前後フレーム１２１，１２１と、一対の下部前後フレーム１２１，１２１の各端部間に架設される前後一対の下部横フレーム１２２，１２２と、下部前後フレーム１２１，１２１及び下部横フレーム１２２，１２２の交差位置に立設される４本の支柱フレーム１２３，…と、支柱フレーム１２３，…に支持される前後方向に延びる上部前後フレーム１２４，１２４と、支柱フレーム１２３，…に支持される幅方向に延びる上部横フレーム１２５，１２５とを備える。
【００２２】
側板１３は、直方フレーム１２の両側部において、前後の支柱フレーム１２３，１２３と上部及び下部前後フレーム１２４，１２１とに固定され、前方板１４は、直方フレーム１２の前面部において、左右の支柱フレーム１２３，１２３と上部及び下部横フレーム１２５，１２２とに固定される。
【００２３】
底板１５は、直方フレーム１２の底面部において、左右の下部前後フレーム１２１，１２１と前後の下部横フレーム１２２，１２２とに固定され、天板１６は、直方フレーム１２の天井部において、左右の上部前後フレーム１２４，１２４と前後の上部横フレーム１２５，１２５とに固定される。
【００２４】
扉２は、右用と左用とを一対備え、図２及び図３に示すように、各々、開口部１１を覆う板状の扉本体２１と、扉本体２１の枠に取り付けられる長尺な枠材２２と、枠材２２（扉本体２１に取り付けられた状態においては「扉２の枠部」ともいう）に取り付けられる長尺なシール材２３とを備える。具体的には、各扉２は、平板状の扉本体２１と、扉本体２１に外嵌する枠材２２と、枠材２２に設けられる凸状の被挾持部２２１を挾持する一対の挾持部２３１，２３１’により、枠材２２に取り付けられるシール材２３とを備える。
【００２５】
そして、各扉２は、観音開きで開閉するように回動可能にすべく、荷箱本体１に固定されるための蝶番部材２４，２４を備える。また、各扉２は、閉じられた状態にて、開かないようにロックするための係止ロッド２５を備える。
【００２６】
扉本体２１は、矩形状であって平板状に形成される。具体的には、扉本体２１は、平板状に形成される複数のパネル２１１，…を備え、各パネル２１１が固定手段（「ボルト及びナット」又は「リベット」）２２２で固定されて構成されている。なお、扉本体２１（パネル２１１）は、金属（例えばアルミ）や木材等で形成され、剛性を有する。
【００２７】
枠材２２は、図３〜図５に示すように、矩形状に形成される扉本体２１の枠の四辺にそれぞれ取り付けられる。そして、枠材２２は、シール材２３に挾持される凸状の被挾持部２２１と、扉本体２１の枠に外嵌する外嵌部２２２と、シール材２３の一部を覆うべく突設される突設部２２３とを備える。なお、枠材２２は、金属（例えばアルミ）や硬質な樹脂で形成され、剛性を有する。
【００２８】
被挾持部２２１は、シール材２３が枠材２２に取り付けられる状態にて、一方の挾持部２３１の所定部位を係止する凹状の係止部２２１ａを備える。そして、係止部２２１ａは、水平方向（横方向）の断面視において、内縁が円弧状に形成される。
【００２９】
外嵌部２２２は、外面板２２２ａと内面板２２２ｂとが平行に配設され、被挾持部２２１を含む側面部２２２ｃが外面板２２２ａと内面板２２２ｂとを連結して構成されている。具体的には、外嵌部２２２は、水平方向（横方向）の断面視において、略コ字状に形成される。なお、外面板２２２ａは、側面部２２２ｃからの突出量が、内面板２２２ｂより小さく形成されている。
【００３０】
突設部２２３は、外面板２２２ａや内面板２２２ｂが側面部２２２ｃから突出する方向と反対方向に側面部２２２ｃから突出するように設けられる。そして、突設部２２３は、先端部に、膨出するようにして上下方向に延設される膨出部２２３ａを備える。
【００３１】
シール材２３は、枠材２２に設けられる凸状の被挾持部２２１を挾持する一対の挾持部２３１，２３１’と、一対の挾持部２３１，２３１’を連結する連結部２３２とを備える。また、シール材２３は、荷箱本体１と扉２との間を封止するための封止部２３３を備える。そして、シール材２３は、挾持部２３１，２３１’及び連結部２３２が硬質な樹脂で形成されて剛性を有すると共に、封止部２３３が軟質な樹脂又はゴムで形成されて弾性を有する。
【００３２】
そして、シール材２３は、一方の挾持部（以下、「第１挾持部」ともいう）２３１が枠材２２の被挾持部２２１と係合する状態にて、第１挾持部２３１を中心に回動されることにより枠材２２に取り付けられるべく、第１挾持部２３１が連結部２３２からの突出量を他方の挾持部（以下、「第２挾持部」ともいう）２３１’よりも小さく形成される。
【００３３】
一対の挾持部２３１，２３１’は、連結部２３２から同じ方向に突設される。そして、各挾持部２３１（２３１’）は、枠材２２の被挾持部２２１を扉２の厚み方向にて挾持すべく、連結部２３２に連結される基部から先端部に向けて互いの離間距離が小さくなるように配置される。また、各挾持部２３１（２３１’）は、先端部から基部にいくにつれて拡幅するように、即ち、先端部に向けてテーパ状に形成されている。
【００３４】
第１挾持部２３１は、内方に突出する凸状部２３１ａを備える。具体的には、第１挾持部２３１は、先端部に上下方向に伸びる円柱状の凸状部２３１ａを備え、一部が内方（枠材２２と接触する面側）に突出している。
【００３５】
凸状部２３１ａは、シール材２３が枠材２２に取り付けられる状態にて、枠材２２の凹状の係止部２２１ａに係止される。そして、凸状部２３１ａは、弾性を有し、シール材２３が枠材２２に取り付けられる状態にて、枠材２２との間を封止するように構成される。具体的には、凸状部２３１ａは、封止部２３３と同様に、軟質な樹脂で形成され、押圧されることにより枠材２２と密着している。
【００３６】
なお、第２挾持部２３１’においても、一部が内方（枠材２２と接触する面側）に突出するように、先端部に上下方向に伸びる円柱状の凸状部２３１ａ’を備え、軟質な樹脂で形成される凸状部２３１ａ’は、押圧されることにより枠材２２と密着している。
【００３７】
封止部２３３は、連結部２３２から挾持部２３１（２３１’）と反対方向に突設される少なくとも一つの封止片、具体的には、一対の封止片２３３ａ，２３３ｂから構成される。そして、一方の封止片２３３ａが連結部２３２からの突出量を他方の封止片２３３ｂよりも大きく形成される。
【００３８】
一方の封止片２３３ａは、直方フレーム１２（例えば、後方の下部横フレーム１２２、後方の支柱フレーム１２３、後方の上部横フレーム１２５）の後方面と密着し、他方の封止片２３３ｂは、直方フレーム１２の内周面と密着する（図３（ａ）参照）。
【００３９】
なお、一方の扉２のうち、他方の扉２と隣接する枠部（辺）に取り付けられるシール材２３’は、封止部２３３’が一つの封止片２３３ａ’で構成されており、また、かかる扉２の枠部（辺）を構成する枠材２２’においても、他の枠部（辺）を構成する枠材２２と形状が若干異なるが、上記と同様の作用を奏すべく、被挾持部２２１’、係止部２２１ａ’、外嵌部２２２’を有する（図３（ｂ）参照）。
【００４０】
また、図１及び図２に戻り、蝶番部材２４は、荷箱本体１の支柱フレーム１２３と、扉２とを固定している。そして、蝶番部材２４は、支柱フレーム１２３の後方面から後方に向けて突設される第１ブラケット２４１と、扉本体２１の表面側に固定される第２ブラケット２４２と、第１及び第２ブラケット２４１，２４２を相対回動可能に連結すべく、上下方向に延びる連結軸２４３とを備える。なお、第２ブラケット２４２は、固定手段（「ボルト及びナット」又は「リベット」）２４４により、扉本体２１に固定されている。
【００４１】
係止ロッド２５は、扉２の外面側に、上下方向に延設され、且つ、上下方向を中心に回動可能に設けられる。そして、係止ロッド２５は、各扉２が閉じられた状態にて、所定方向に回動されることにより、各扉２が開かないようにロックする一方、反対方向に回動されることにより、当該ロックを解除するように構成されている。なお、各扉２には、係止ロッド２５を保持するための係止ロッド保持具２５１，２５１が設けられている。
【００４２】
本実施形態に係るシール材２３及び荷箱（扉２の枠構造）の構成は以上の通りであり、次に、本実施形態に係る扉本体２１に枠材２２及びシール材２３を取り付ける方法について説明する。
【００４３】
まず、図５（ａ）に示すように、扉本体２１の枠に、枠材２２の外嵌部２２２を外嵌することにより、枠材２２が扉本体２１に取り付けられる。このとき、扉本体２１と枠材２２とは、固定手段（例えば、「ボルト及びナット」又は「リベット」或いは「接着剤」であって、図示していない）によって固定される。
【００４４】
次に、図５（ｂ）に示すように、シール材２３の第１挾持部２３１が枠材２２の被挾持部２２１と係合するように、シール部材２３を枠材２２に軽く嵌めこむ。かかる状態においては、シール材２３の連結部２３２と枠材２２の被挾持部２２１とが密着しておらず、完全に取り付けられていない。
【００４５】
そして、第１挾持部２３１の凸状部２３１ａが被挾持部２２１の係止部２２１ａに係止される状態にて、シール材２３が第１挾持部２３１（具体的には、先端部の凸状部２３１ａ）を中心に回動される（図５（ｂ）におけるＤ矢印方向）ことにより、シール材２３が枠材２２に取り付けられる。具体的には、板状の扉本体２１と平行な面に沿って且つ第２挾持部２３１’が円弧を描くように回動されることにより、シール材２３が枠材２２に取り付けられる。
【００４６】
このとき、凸状部２３１ａが係止部２２１ａに係止されているため、シール材２３が枠材２２から外れることもなく、また、枠材２２に対して正確に位置決めされている。そして、図５（ｃ）に示すように、一対の挾持部２３１，２３１’が枠材２２の被挾持部２２１を挾持することにより、シール材２３が枠材２２に取り付けられる。
【００４７】
さらに、凸状部２３１ａが押圧されることにより枠材２２と密着するため、枠材２２とシール材２３との間が封止されている。このとき、枠材２２とシール材２３とは、固定手段（例えば、「ボルト及びナット」又は「リベット」或いは「接着剤」であって、図示していない）によって固定される。
【００４８】
以上より、本実施形態に係る荷箱（扉２の枠構造）は、第１挾持部２３１が一対の挾持部２３１，２３１’を連結する連結部２３２からの突出量を第２挾持部２３１’よりも小さく形成される。したがって、第１挾持部２３１が枠材２２に設けられる凸状の被挾持部２２１と係合する状態にて、第１挾持部２３１を中心に回動されることにより、一対の挾持部２３１，２３１’が枠材２２の被挾持部２３１を挾持して枠材２２に取り付けられるため、その結果、シール材２３を枠材２２に取り付ける作業を容易にすることができる。
【００４９】
また、本実施形態に係る荷箱（扉２の枠構造）は、シール材２３が枠材２２に取り付けられる状態にて、枠材２２の被挾持部２２１に設けられる凹状の係止部２２１ａが、第１挾持部２３１に内方に突出して設けられる凸状部２３１ａを係止する。したがって、シール材２３が第１挾持部２３１を中心に回動される際や、シール材２３が枠材２２に取り付けられた際に、シール材２３が枠材２２から外れることもなく、また、シール材２３が枠材２２に対して適切に位置決めされる。
【００５０】
また、本実施形態に係る荷箱（扉２の枠構造）は、弾性を有する第１挾持部２３１の凸状部２３１ａが枠材２２との間を封止するようにして、シール材２３が枠材２２に取り付けられる。したがって、シール材２３と枠材２２との間から水等が浸入するのを防止することができる。
【００５１】
なお、本発明に係るシール材及び荷箱（扉の枠構造）は、上記した実施の形態に限定されるものではなく、本発明の要旨を逸脱しない範囲内において種々変更を加え得ることは勿論である。
【００５２】
例えば、上記実施形態に係るシール材及び荷箱（扉２の枠構造）においては、第１挾持部（一方の挾持部）２３１の先端部に凸状部２３１ａを有し、シール材２３が枠材２２に取り付けられる（回動及び固定される）際に、凸状部２３１ａが被挾持部２２１の凹状の係止部２２１ａに係止される場合を説明したが、かかる場合に限られない。
【００５３】
具体的には、例えば、第１挾持部の先端部ではなく、基部と先端部との間の部位に凸状部が設けられる場合でもよい。さらに、枠材の被挾持部は、外方に突出する凸状部を備え、シール材の第１挾持部は、凹状の係止部を備え、シール材が枠材に取り付けられる際に、被挾持部の凸状部が第１挾持部の凹状の係止部に係止される場合でもよい。
【００５４】
また、上記実施形態に係るシール材及び荷箱（扉２の枠構造）においては、一方の扉２のうち、他方の扉２と隣接する枠部（辺）にもシール材２３’が取り付けられる場合を説明したが、かかる場合に限られず、他方の扉２と隣接する枠部（辺）にシール材が取り付けられない場合でもよい。
【００５５】
例えば、図６に示すように、他方の扉２と隣接する枠部に取り付けられる枠材２２''は、扉体２１に外嵌する外嵌部２２２''と、他方の扉２におけるシール材２３に封止される被封止部２２４''とを備える場合でもよい。かかる被封止部２２４''は、一方の封止片２３３ａに密着されて封止される表面部２２４ａ''と、他方の封止片２３３ｂに密着されて封止される側面部２２４ｂ''とを備える。
【図面の簡単な説明】
【００５６】
【図１】本発明の一実施形態に係る荷箱の全体図であって、斜視図を示す。
【図２】同実施形態に係る荷箱の要部概略図であって、図１のＡ−Ａ線における断面図を示す。
【図３】同実施形態に係る荷箱の要部概略図であって、（ａ）は図２のＢ領域の拡大断面図、（ｂ）は図２のＣ領域の拡大断面図を示す。
【図４】同実施形態に係る荷箱における、（ａ）は枠材の全体断面図、（ｂ）はシール材の全体断面図を示す。
【図５】同実施形態に係るシール材に枠材を取り付ける説明図であって、要部概要断面図を示す。
【図６】本発明の他の実施形態に係る荷箱の要部概略図であって、拡大断面図を示す。
【図７】従来における荷箱の要部概略図であって、（ａ）は横断面図、（ｂ）はシール材に枠材を取り付ける説明図であって、斜視図を示す。
【符号の説明】
【００５７】
１…荷箱本体、２…扉、１１…開口部、２１…扉本体、２２…枠材、２３…シール材、２２１…被挾持部、２２１ａ…係止部、２３１…（一方の）挾持部（第１挾持部）、２３１’…（他方の）挾持部（第２挾持部）、２３１ａ…凸状部、２３２…連結部
【図１】
2009270320.tif 000003
【図２】
2009270320.tif 000004
【図３】
2009270320.tif 000005
【図４】
2009270320.tif 000006
【図５】
2009270320.tif 000007
【図６】
2009270320.tif 000008
【図７】
2009270320.tif 000009